(57)【要約】  記録素子の印刷及び処理システム及び方法が提供されている。システムは、キャリアを含む液体を記録素子上に計量分配するプリントヘッドを含む。キャリア除去ステーション（２２）が、プリントヘッドの下流に位置し、記録素子内に存在するキャリアの所定百分率を除去する。変換ステーション（２４）が、キャリア除去ステーションの下流に位置し、記録素子の耐久特性を強化する。１つの実施態様において、印刷、キャリア除去、及び、変換は、単一ユニット内で達成される。他の実施態様において、印刷はスタンドアローンユニット内で達成されるのに対し、キャリア除去及び変換は第二のスタンドアローンユニット内で達成される。この代替的な実施態様において、記録素子の輸送は、機械的機器を用いて自動的に、或いは、システム使用者によって手動で達成され得る。
2007513810.tif 000002
【特許請求の範囲】
【請求項１】
記録素子を印刷し且つ処理するためのシステムであって、
キャリアを含む液体を前記記録素子上に計量分配するプリントヘッドと、
該プリントヘッドの下流に位置し、前記記録素子内に存在するキャリアの所定百分率を除去するよう構成されたキャリア除去ステーションと、
該キャリア除去ステーションの下流に位置し、前記記録素子の耐久特性を強化するよう構成された変換ステーションとを含むシステム。
【請求項２】
前記プリントヘッドは、サーマル型プリントヘッドである、請求項１に記載のシステム。
【請求項３】
前記プリントヘッドは、圧電型プリントヘッドである、請求項１に記載のシステム。
【請求項４】
前記プリントヘッドは、コンティニュアス型プリントヘッドである、請求項１に記載のシステム。
【請求項５】
前記プリントヘッドの上流に位置する記録素子源をさらに含む、請求項１に記載のシステム。
【請求項６】
当該システムは、デスクトップフットプリント寸法を有する、請求項１に記載のシステム。
【請求項７】
当該システムの部分は記録素子移動経路を定め、前記移動経路の第二部分は、前記移動経路の第一部分とオーバーラップする、請求項１に記載のシステム。
【請求項８】
当該システムの部分は前記移動経路の第三部分を定め、前記移動経路の前記第三部分は、前記第二部分及び前記第一部分の少なくとも１つをオーバーラップする、請求項７に記載のシステム。
【請求項９】
当該システムの部分は、第一部分と第二部分とを含む記録素子移動経路を定め、前記移動経路の前記第一部分は移動の第一方向を有し、前記移動経路の前記第二部分は移動の第二方向を有し、前記移動の第一方向は、前記移動の第二方向と反対である、請求項１に記載のシステム。
【請求項１０】
移動の第三方向を有する前記移動経路の第三部分をさらに含み、前記移動の第三方向は、前記移動の第一方向と実質的に類似する、請求項９に記載のシステム。
【請求項１１】
前記プリントヘッドは第一ユニットの内部に位置し、前記キャリア除去ステーション及び前記変換ステーションは第二ユニットの内部に位置し、前記第一ユニットは前記第二ユニットと別個である、請求項１に記載のシステム。
【請求項１２】
前記第一ユニットは、前記第二ユニットの上に位置し得る、請求項１１に記載のシステム。
【請求項１３】
前記第二ユニットは、デスクトップフットプリントを有する、請求項１２に記載のシステム。
【請求項１４】
前記第一ユニットと前記第二ユニットとの間に位置する媒体処理機構をさらに含み、前記媒体処理機構は、前記記録素子を前記第一ユニットから前記第二ユニットに輸送するよう動作可能である、請求項１１に記載のシステム。
【請求項１５】
前記キャリア除去ステーション及び前記変換ステーションの少なくとも１つと電気的に接続するコントローラをさらに含む、請求項１に記載のシステム。
【請求項１６】
前記プリントヘッド、前記キャリア除去ステーション、及び、前記変換ステーションは、単一ユニット内に含まれる、請求項１に記載のシステム。
【請求項１７】
記録素子の印刷及び処理方法であって、
キャリアを含む液体を記録素子の上に印刷するステップと、
前記記録素子内に存在するキャリアの所定百分率を除去するステップと、
前記記録素子の耐久特性を強化するステップとを含み、
前記キャリアの所定百分率を除去するステップは、前記記録素子の耐久特性を強化するステップと別個である方法。
【請求項１８】
前記印刷、前記キャリア除去、及び、前記耐久特性強化の操作は、連続的な記録素子移動経路に沿って遂行される、請求項１７に記載の方法。
【請求項１９】
前記印刷操作の終了後、前記記録素子を前記キャリア除去操作に移動するステップをさらに含む、請求項１７に記載の方法。
【請求項２０】
前記移動するステップは、機械的機器を用いて達成される、請求項１９に記載の方法。
【請求項２１】
前記機械的機器は、媒体処理機構を含む、請求項２０に記載の方法。
【請求項２２】
前記移動するステップは、システム使用者によって達成される、請求項１９に記載の方法。
【請求項２３】
前記キャリアから所定百分率を除去するステップは、前記記録素子に熱を加えるステップを含む、請求項１７に記載の方法。
【請求項２４】
前記記録素子の耐久特性を強化するステップは、前記記録素子に圧力を加えるステップを含む、請求項１７に記載の方法。
【請求項２５】
前記記録素子の耐久特性を強化するステップは、前記記録素子に熱を加えるステップを含む、請求項１７に記載の方法。
【発明の詳細な説明】
【技術分野】
【０００１】
本発明は、一般的に、記録素子を処理する装置及び方法に関し、より具体的には、画像化された及び／又は印刷された記録素子を処理する装置及び方法に関する。
【背景技術】
【０００２】
インクジェット印刷は、デジタル信号に応答して記録素子上に蒸着されるインク液滴を生成する非衝撃印刷方法である。今日、インクジェット印刷システムは、産業、家庭、及び、オフィス環境における広範な立場で用いられる。インクジェット印刷の品質は向上し続けているが、インクジェット印刷は耐久性を欠くので不利であり、環境因子（光、オゾン等）に対して余り安定性を有せず、水及び摩耗により敏感であることが多い。
【０００３】
これらの不利点を克服する１つの方法は、インクジェット印刷物をラミネート化し或いはカプセル化することである。インクジェット印刷物がラミネート化されるとき、透明な上塗層がインクジェット印刷物に接着される。これは、典型的には、熱、圧力、又は、それらの双方によって活性化される接着剤を用いて達成される。透明な上塗層は、印刷物を物理的に保護し、それを水の進入から封止する。インクジェット印刷物がカプセル化されるとき、印刷物は、２つのラミネートシートの間に位置付けられ、それらの少なくとも１つは透明である。次に、印刷物及びラミネートシートの幾つかの組み合わせが、熱、圧力、又は、それらの双方によって活性化された接着剤を用いて接着される。典型的には、ラミネート化が最も効果的であるのは、ラミネートシートが印刷物を越えて延び、両端で相互に接合され、よって、印刷物の露出した縁部を通じた水の進入を防止するときである。
【０００４】
ラミネート化及びカプセル化の双方は、追加的な材料及び使用者による取扱いを必要とする高価なプロセスであるという不利点を有する。その上、記録素子内に捕捉されるインクジェット用インクは、貯蔵部又は露出部上の印刷物の染み又は移染を引き起こすことによって画像品質を劣化し得る。ラミネート材料及び接着剤は、時間と共にしばしば劣化し、例えば亀裂を含む表面欠陥を引き起こし得る。ラミネートは、必ずしもインクジェット印刷物に良好に接着するとは限らない。接着の品質及び均一性は、記録素子の材料の性質、インクの種類、及び、記録素子の単位領域当たりのインク量（インクレイダウン）に依存し得る。所要の素晴らしい画像品質を達成するためにインクの大量のレイダウンが必要なので、インクジェット印刷物が写真画像品質を有するときに後者は特に顕著である。
【０００５】
ラミネート化又はカプセル化の代替として、支持体上に塗布される発生期保護層を有するインクジェット記録素子が既知である。発生期保護層は、インクジェット印刷プロセス期間中、インクが層に浸透し、印刷完了後、層が印刷物を封止し且つ保護するように層が熱及び／又は圧力を用いて融合されるよう設計される、本当に特別な化学層である。発生期保護材料が製造中に記録素子内に組み込まれるので、このプロセスは、しばしば組込アプローチ(incorporated  approach)と呼ばれる。
【０００６】
しかしながら、光沢及び清澄度が均一であり且つ膨れ及び亀裂のような表面欠陥のない最終被保護印刷物を得るのが困難であるので、組込アプローチは制限的である。最終被保護印刷物が素晴らしい画像品質を有しなければならないとき、例えば、それが写真又は医療診断用途であるとき、制限は特に顕著である。インクの大量のレイダウンを管理するのを助けるために、これらの用途のための記録素子は、発生期保護層の下方に位置する１つ又はそれ以上のこれらの層を有し得る。印刷後、一般的にキャリアと呼ばれるインクのバルクは、二重層システム内のどこかに保持される。もし融合中の発生期保護層内に多くのキャリアが存在し過ぎるならば、それは適切に融合せず、前記の望ましくない効果を観察し得る。
【０００７】
発生期保護層の融合中及び／又は融合後にキャリアがインク受容層内に支配的に存し、次に、インク受容層内に移動する或いはインク受容層から融合保護層内に移動するとき、この状況はさらに悪くなる。インク受容層内でのキャリアの移動は、画像品質の劣化、例えば、画像鮮鋭度の損失及び染みを引き起こし、融合保護層内への移動は、如何なる上述の望ましくない効果を引き起こし得る。
【０００８】
組込アプローチを用いるインクジェット印刷方法の実施例は、２０００年９月５日にＭｉｓｕｄａ  ｅｔ  ａｌ．に発効した米国特許第６，１１４，０２０号、１９８９年５月２３日にＨａｓｅｇａｗａ  ｅｔ  ａｌ．に発効した米国特許第４，８３２，９８４号、及び、１９８８年１１月１５日にＨｉｇｕｍａ  ｅｔ  ａｌ．に発効した米国特許第４，７８５，３１３号に記載されているキャノンＨｙｐｅｒＰｈｏｔｏシステムである。
【０００９】
欧州特許出願第１２８４１８６Ａ２号は、インクジェット記録材料上に記録されるインクジェット画像の光沢を向上するため固定装置及び画像固定方法を記載している。インクジェット記録材料は、熱固定され得る多孔性上面層を含む。画像が印刷された後、記録材料が相当な高温及び高圧に保持される一組の固定ベルト又はローラを通過する前に、記録材料は「懸架」状態に保持される。
【００１０】
日本国特許公開公報第２００２−２８３５５３号は、記録媒体の画像面の光沢及び清澄度を制御するためのインクジェット記録機器を記載している。機器は、記録媒体上に印刷画像を発生するためのインクジェット印刷手段と、印刷画像を加熱及び加圧するための固定手段とを含む。記録媒体は、インクを受容し且つ引き続き固定される熱可塑性樹脂層を有する。
【００１１】
２００２年５月２８日にＪａｎｏｓｋｙ  ｅｔ  ａｌ．に発効した米国特許第６，３９４，６６９号は、現像装置のための印刷後処理プロセッサを開示している。印刷媒体は、処理後プロセッサに輸送される。処理後プロセッサステーションは、媒体を乾燥し、印刷媒体上に耐久性材料を塗布する。好適実施態様において、乾燥は、赤外線放射技術によって達成され、耐久性材料の塗布は、透明な保護フィルムを印刷媒体の画像側にラミネート化することによって達成される。
【００１２】
米国特許出願公開第２００２／００２７５８７号は、印刷物を形成するための装置及び方法を記載している。層表面上に熱可塑性樹脂粒子を有する記録媒体が印刷される。引き続き、樹脂粒子は、加熱及び加圧機器によって透明にされる。米国特許出願第２００２／０００８７４７号は、類似の方法を記載している。
【００１３】
米国特許第６，３５７，８７１号は、インクジェット印刷媒体及びインクジェット印刷製品を準備するための装置を記載している。インクジェット記録媒体は、粒子が互いに融合される層を形成するためにインクジェット印刷後に溶解又は融解する熱可塑性有機重合体の精密な粒子の層を有する。粒子の融合は、層を加熱するステップと、次に、層が加熱後に依然としてプラスチック状態にある間に、記録媒体を一組のプレスロールの間に通す型押ステップとを包含する。
【００１４】
前述の技術の全ては、インクのバルク又はキャリアが、保護層の形成後に記録素子内に捕捉され、上述の問題を招くという点で不利である。
【００１５】
米国特許第６，３３２、６７９Ｂ１号は、記録媒体上に画像を形成するために用いられるインクジェットプリンタを記載している。艶消層を形成するために、記録媒体は、層を同時に加圧及び加熱することをによって艶消しされる多孔性表面層を含む。加圧は、画像記録媒体を一組のローラによって創成されるニップに通すことによって達成される。ニップは、記録媒体内に含まれるインク溶剤が沸点に達する地点Ａと、記録媒体の多孔性層がその液体透過性特性を失う地点Ｂとを有するニップ領域として定められる。
【００１６】
この方法及び装置に関連する不利点は、インク溶剤の除去及び層の艶消しが、地点Ａと地点Ｂとの間の非常に少ない物理的距離で同一ステップにおいて達成されることである。従って、いずれのステップをも個別に最適化及び／又は制御し得ない。その結果、広範な記録媒体及びインク量レイダウンに適合する方法及び装置の柔軟性は、ニップ領域の温度、圧力、及び、輸送速度条件を満たすそれらの組み合わせに限定される。この方法及び装置についての他の問題は、十分なインク溶剤を除去するために、艶消しローラの温度が、液体透過性特性の排除前に十分な蒸発を引き起こすよう十分に高くなければならないということである。もし温度が高過ぎるならば、支持体は変形し、艶消しローラからの記録媒体の解放が問題となる。加えて、蒸発するインク溶剤は、艶消しローラ上で濃縮可能であり、艶消しローラの温度を維持するのを困難にする。濃縮溶剤が表面上に再蒸着することも可能であり、或いは、記録媒体は画像欠陥の可能性を増大する。
【００１７】
米国特許第６，１２０，１９９号は、加熱固定ユニットと固定ユニットとを有するインクジェット印刷装置を記載している。画像化記録媒体が固定ユニットに進入する前に表面を乾燥する試みから、加熱固定ユニットは、画像化記録媒体の表面に亘って加熱空気を送風するファンを含む。インク溶剤は画像化記録媒体から逃げ出すことを許容されるが、除去されるインク溶剤の量を十分に制御し得ない。従って、装置の信頼性は低減される。
【発明の開示】
【発明が解決しようとする課題】
【００１８】
画像化された及び／又は印刷された記録素子から所定量のキャリアを除去し、続いて、画像化された及び／又は印刷された記録素子の耐久特性を強化すると共に、処理される画像化された及び／又は印刷された記録素子の要件に依存して、それぞれのための条件を最適化する及び／又は制御する装置及び方法が必要である。
【課題を解決するための手段】
【００１９】
本発明の１つの特徴によれば、記録素子を印刷し且つ処理するためのシステは、キャリアを含む液体を記録素子上に計量分配するプリントヘッドを含む。キャリア除去ステーションが、プリントヘッドの下流に位置し、記録素子内に存在するキャリアの所定百分率を除去する。変換ステーションが、キャリア除去ステーションの下流に位置し、記録素子の耐久特性を強化する。
【００２０】
本発明の他の特徴によれば、記録素子の印刷及び処理方法は、キャリアを含む液体を記録素子の上に印刷するステップと、記録素子内に存在するキャリアの所定百分率を除去するステップと、記録素子の耐久特性を強化するステップとを含み、キャリアの所定百分率を除去するステップは、記録素子の耐久特性を強化するステップと別個である。
【００２１】
以下の本発明の好適実施態様の詳細な記載において、図面が参照される。
【発明を実施するための最良の形態】
【００２２】
本記載は、具体的には、本発明に従った装置の一部を形成する或いは本発明に従った装置とより直接的に協働する素子に向けられている。具体的に示されず或いは記載されない素子は当業者に周知の多様な形態を取り得ることが理解されるべきである。
【００２３】
図１乃至９を参照すると、本発明の例示的な実施態様が、同等の構成要素が同等の参照記号を用いて記載された状態で示されている。本発明の実施態様は、医療診断画像化用途において典型的に用いられる白黒又は多色の透明印刷物を得るのに適しているが、本発明の実施態様は、他の領域に、例えば、医療診断画像化用途、写真用途等における使用に適した白黒又は多色の反射性印刷物を得ることに用途を見い出す。
【００２４】
図１を参照すると、記録素子処理装置２０のブロック図が示されている。装置２０は、２つのステーション、即ち、記録素子からキャリア、典型的にはインクキャリアを除去するキャリア除去ステーション２２と、記録素子の耐久特性を強化或いは向上する変換ステーション２４とを含む。キャリア除去ステーション２２及び変換ステーション２４は、従来的なコントローラ２５に接続され、コントローラは、１つ又はそれ以上の要因に依存して、ステーション２２及び２４の一方又は双方が個別に制御され、プログラムされ、及び／又は、調節されることを可能にする。これらの要因は、例えば、媒体の種類、インクの種類、所望の画像解像度等を含む。コントローラ２５は、当該技術分野において既知のユーザーインターフェースを含み得るし、或いは、例えば、装置２０及び／又は印刷システム２６（以下に議論される）の他の構成要素から受信する情報に基づいて自動的に動作パラメータを調節し得る。
【００２５】
ここで用いられるような耐久特性は、画像化された記録素子又はインクジェット印刷物の保全に関する如何なる特性をも意味する。例えば、耐久特性は、画像化された記録素子の変色又は褪色を引き起こし得る光及びオゾンのような環境因子に対するインクジェット印刷物の安定性を意味する。耐久特性の他の例は、湿度、水、染み、及び、物理的摩耗に対するインクジェット印刷物の安定性又は耐性を含む。
【００２６】
装置２０を従来的な印刷システム２６に組み込み得る。この脈絡において、従来的な印刷システムは、１つ又はそれ以上のインクを記録素子上又は記録素子内に蒸着する任意の印刷システム、例えば、インクジェット印刷システム２６を含む。以下に議論される実施態様は、インクジェット印刷システム２６の脈絡でそのようになされる。しかしながら、液体、例えば、キャリアを有する染料を蒸着する如何なる種類の印刷システム２６をも装置と共に用い得る。印刷システム２６中に組み込まれるとき、コントローラ２５をシステム２６に組み込み得るし、及び／又は、如何なる印刷システムコントローラに加えて含め得る。
【００２７】
典型的に、インクジェット印刷システム２６は、１つ又はそれ以上のプリントヘッド、記録素子変換システム、コントローラ、ユーザーインターフェース等を含む（一般的に３０を用いて示されている）。インクジェット印刷システム２６は、圧電プリントヘッド又はサーマルプリントヘッドを用いるドロップオンディマンド型プリンタを含み得る。代替的に、システム２６は、コンティニュアス型プリンタを含む得る。如何なる従来的な技法をも用いてインクドロップ形成を達成し得る。
【００２８】
インクジェット印刷システム２６を用いて如何なる従来的なインクジェット用インクをも記録素子上及び／又は記録素子内に蒸着し得る。典型的なインクジェット用インクは、水性又は溶剤性のいずれかであり、主としてキャリアと、少量の顔料及び／又は染料着色剤を含む。水性インクに関しては、水及び水混和性湿潤剤及びジエチレングリコール又はグリセロールのような多価アルコールのような共溶剤が、キャリアである。溶剤性インクは、キャリアとして、１つ又はそれ以上の有機溶剤、例えば、メタノール、エタノール、プロパノール、イソプロパノールのようなアルコール；アセトン、メチルエチルケトン、メチルイソブチルケトン、シクロヘキサノン、４−メトキシ−メチルペンテンのようなケトン；シクロヘキサン、メチルシクロヘキサン、ｎ−ペンタン、ｎ−ヘキサン、ｎ−ヘプタンのような炭化水素；酢酸エチル、酢酸プロピルのようなエステル；ジメチルスルホキシド；ｎ−メチル−２−ピロリドン；γ−ブチロラクトン；トルエン；キシレン及び高沸点石油を含有する。記録素子又はその上に画像化された印刷物の変形又は劣化を引き起こすことなしにキャリア除去ステーションでキャリアを除去し得る限り、キャリアの選択は特に限定されない。
【００２９】
１つの実施態様では、インクジェット印刷物を生成するために、水性インクが本発明と共に用いられる。水性インクジェット用インクの実施例は、例えば、Ｃａｎｏｎ，Ｕ．Ｓ．Ａ．，Ｉｎｃ．、Ｅｐｓｏｎ  Ａｍｅｒｉｃａ，Ｉｎｃ．、Ｈｅｗｌｅｔｔ−Ｐａｃｋａｒｄ  Ｃｏ．、Ｅａｓｔｍａｎ  Ｋｏｄａｋ  Ｃｏ．等から商業的に入手可能な如何なるインクジェット用インクをも含む。
【００３０】
インクジェット印刷システム２６と共に用いられるインクの顔料又は染料着色剤成分は、シアン、マジェンタ、イエロー、オレンジ、グリーン、又は、バイオレットのような有色を有し得るし、或いは、それらはブラック、ホワイト、グレイ、又は、無色のような無色を有し得る。特定の画像化用途において、同一の色相を有するが異なる濃度を有するインクが用いられる。例えば、医療画像をレンダリングするために設計されたインクジェットプリンタは、一組のブラックインクを用いるのが典型的であり、組内の各インクは、高品質な多層グレースケール画像を生成するために、同一の色相を有するが異なる濃度を有する。
【００３１】
インクジェット印刷システム２６において用い得るインクに有用な顔料着色剤は、インクジェット印刷の技術分野において一般的に用いられる如何なる既知の顔料、或いは、顔料の組み合わせをも含む。そのような顔料は、アゾ顔料、ナフトール顔料、ベンゾイミダゾール顔料、金属錯体顔料、フタロシアニン顔料、キナクリドン顔料、ペリレン及びペリノン顔料、アントラピリミドン顔料、フラバントロン顔料、アントアントロン顔料、ジオキサン顔料、酸化チタン、酸化鉄、カーボンブラック、及び、それらの類似物を含む。好適な顔料は、Ｃ．Ｉ．Ｐｉｇｍｅｎｔ  Ｂｌｕｅ  １５：３、米国特許第５，７３８，７１６号に記載のフタロシアン顔料、Ｃ．Ｉ．Ｐｉｇｍｅｎｔ  Ｒｅｄ  １２２、Ｃ．Ｉ．Ｐｉｇｍｅｎｔ  Ｙｅｌｌｏｗ  １５５、Ｃ．Ｉ．Ｐｉｇｍｅｎｔ  Ｙｅｌｌｏｗ  ７４、Ｃ．Ｉ．Ｐｉｇｍｅｎｔ  Ｙｅｌｌｏｗ  ９７、Ｃ．Ｉ．Ｐｉｇｍｅｎｔ  Ｙｅｌｌｏｗ  １２８、又は、Ｃ．Ｉ．Ｐｉｇｍｅｎｔ  Ｂｌａｃｋ  ７である。何故ならば、これらの顔料の組み合わせは、最良の色をもたらす傾向があるからである。顔料の厳密な選択は、具体的な用途及び色再現性及び画像安定性のような性能要件に依存する。
【００３２】
インクジェット印刷システム２６において用い得るインクに有用な顔料着色剤は、一般的に、約５００ｎｍ未満の平均粒子サイズを有する。好ましくは、平均粒子サイズは２００ｎｍ未満であり、特に９０ｎｍ未満である。何故ならば、これらの粒子サイズを有する顔料で配合されるインクは、確実に噴射する傾向があるからである。顔料着色剤を含有する水性インクに関しては、顔料粒子を凝集及び沈降に対して安定化するために分散剤が使用されるのが典型的である。分散剤は、例えば、米国特許第５，６７９，１３８号、第５，０８５，６９８号、及び、第５，１７２，１３３号に記載されているように、顔料粒子を適当なサイズに粉砕するために典型的に用いられ、顔料自体の一部としてインクに加えられる。分散剤を顔料と別個にも加え得る。自己分散型顔料も用い得る。これらの種類の顔料は、本来的に凝集及び沈降に対して安定し、分散剤を必要としない。
【００３３】
インクジェット印刷システム２６において用い得るインクに有用な染料着色剤は、インクジェット印刷の技術分野において一般的に用いられる如何なる既知の染料、或いは、染料の組み合わせをも含む。そのような染料は、水溶性反応染料、直接染料、アニオン染料、カオチン染料、酸性染料、食用色素、金属錯体染料、フタロシアニン染料、アントラキノン染料、アントラピリドン染料、アゾ染料、ローダミン染料、及び、それらの類似物を含む。染料の典型的な例は、Ｃ．Ｉ．Ｄｉｒｅｃｔ  Ｙｅｌｌｏｗ  ８６，１０７，１３２，１７３、Ａｃｉｄ  Ｙｅｌｌｏｗ  １７及び２３、Ｃ．Ｉ．Ｒｅａｃｔｉｖｅ  Ｒｅｄ  ２３，２４，３１，１２０，１８０，２４１、Ａｃｉｄ  Ｒｅｄ  ３５，５２，２４９，２８９，３８８、Ｄｉｒｅｃｔ  Ｒｅｄ  ２７７、日本化薬株式会社からＪＰＤ  Ｍａｇｅｎｔａ  ＥＫ−１  Ｌｉｑｕｉｄとして販売されているＣＡＳ  Ｎｏ．２２４６２８−７０−０、Ｃｒｏｍｐｔｏｎ  ａｎｄ  Ｋｎｏｗｌｅｓ  ＣｏｌｏｒｓからＩｎｔｒａｊｅｔ（Ｒ）  Ｍａｇｅｎｔａ  ＫＲＰとして販売されているＣＡＳ  Ｎｏ．１５３２０４−８８−７、米国特許第５，９９７，６２２号及び第６，００１，１６１号に開示されている金属アゾ染料、Ｃ．Ｉ．Ｂｌｕｅ  ８６，１９９，３０７、Ａｃｉｄ  Ｂｌｕｅ  ９、Ｒｅａｃｔｉｖｅ  Ｂｌａｃｋ  ３１１、Ｄｉｒｅｃｔ  Ｂｌａｃｋ  １９，１５４，１６８、Ｆｏｏｄ  Ｂｌａｃｋ  ８６，１９９，３０７、可溶性硫黄  Ｂｌａｃｋ  １（Ｄｕａｓｙｎ（Ｒ）  Ｂｌａｃｋ  ＳＵ−ＳＦ）を含む。染料の厳密な選択は、具体的な用途及び色再現性及び画像安定性のような性能要件に依存する。
【００３４】
湿潤剤、共溶剤、界面活性剤、脱泡剤、緩衝剤、キレート剤、及び、伝導強化剤が、広範な理由のためにインクジェット用インクにおいて用いられるのが普通であり、それらの殆どは、印刷を行うプリントヘッドの要件によって決定される。インクジェット印刷の美術分野において周知であるように、サーマル及び圧電ドロップオンデマンド型プリントヘッド及びコンティニュアス型プリントヘッドは、信頼性があり且つ正確なインクの噴射を達成するために、異なる組の物理的特性を備えるインクをそれぞれ必要とする。インクがプリントヘッドのオリフィス内で乾燥し或いは皮殻化するのを防止し、インク中の成分の溶解性を補助し、且つ、印刷後にインクが記録媒体中に浸透するのを促進するために、湿潤剤、共溶剤、及び、界面活性剤を用い得る。インクジェット印刷システム２６において有用な典型的な水性インクは、例えば、インクの総重量に基づいて、着色剤０．０５〜１０％、水２０〜９５％、湿潤剤５〜７０％、共溶剤２〜２０％、界面活性剤０．０２〜１０％、及び、殺生物剤０．０５〜５％をの成分を含み、２〜１０の水素イオン指数を有し得る。
【００３５】
上記のインクは従来的なインクジェット用インクであるが、記録素子自体及びその上に印刷される画像の変形又は劣化を引き起こすことなしに、流体がキャリア除去ステーションによって除去され得るキャリアを含む限り、インクジェットプリンタを用いて噴射され得る如何なる流体をもインクジェットプリンタにおいて用い得る。インクジェット印刷システム２６において用い得る流体の他の実施例は、放射線硬化可能インク、芳香剤を含有する無色インク、香味剤、又は、近赤外蛍光化合物、紫外線吸収化合物、及び、それらの類似物のような安全機能をもたらすために用いられる化合物を含む。
【００３６】
記録素子がインクを吸収し得ること及び耐久特性の変化及び変更を耐え得ることを条件として、如何なる記録素子をも装置２０と共に用い得る。この場合にも、耐久特性は、水、染み、オゾン、引っ掻き、摩耗等に対する耐性を含むが、それらに限定されない。記録素子は支持体を典型的に含み、支持体はその上を被覆する少なくとも１つのインク支持層を有する。支持体上に被覆される単一インク受容層から成る記録素子のために、層は、初期的にはインクの吸収を可能にし、次に、キャリアの少なくとも一部がそこから除去されるのを許容する種類であるべきであり、層の少なくとも一部は、記録素子の耐久特性を向上し得る種類であるべきである。
【００３７】
装置２０と共に用い得る記録素子を、同一又は異なる機能をもたらす複数のインク受容層からも構成し得る。例えば、１つの層を染料又は顔料着色剤を捕捉するために用い、他の層をキャリアを含む他のインク成分を捕捉するために用い得る。最上層（最初にインクを受容する層）が記録素子全体の耐久特性を向上し得る種類である限り、層は支持体上で如何なる順序でもあってもよい。記録素子の耐久特性を全体として向上するよう最上層を変換し得る限り、他の層の耐久特性も変化し得る、好ましくは向上し得る。層は、記録素子全体が、初期的にインクの吸収を可能にし、次に、キャリアの少なくとも一部が層の少なくなくとも１つから並びに記録素子全体から除去されるのを許容するよう、互いに最適化されるべきである。
【００３８】
本発明の１つの実施態様において、記録素子は、多孔性支持体上に被覆された単一層を有することで、着色剤は、層の耐久特性が強化される前及び強化された後に単一層内に捕捉され、並びに、湿潤剤、共溶剤、及び、水を含む如何なる残余のキャリアも、耐久特性が強化された後に時間と共に、多孔性支持体を通じて記録素子から蒸発し得る。
【００３９】
本発明の他の実施態様において、記録素子は２つの層、非多孔性又は多孔性支持体上に直接的に被覆された下層の上に被覆された最上層を有する。最上層は着色剤を捕捉し、双方の層はインクの残余を吸収する。双方の層は、キャリア除去ステーション２２が記録素子全体からキャリアの所定量を除去するよう共に機能し、記録素子の耐久特性が強化される前に、如何なる残余のキャリアも下層内に捕捉される。層の１つ又は双方、好ましくは少なくとも最上層は、記録素子全体の耐久特性が強化されるよう、変換ステーション２４によって変換される。
【００４０】
適切な記録素子の例は、２００２年１２月２４日にＷｅｘｌｅｒに発効した米国特許第６，４９７，４８０号、２００２年１１月５日にＷｅｘｌｅｒに発効した米国特許第６，４７５，６０３号、２００２年６月４日にＷｅｘｌｅｒ  ｅｔ  ａｌ．に発効した米国特許第６，３９９，１５６号、２００２年１１月７日に出願されたＹａｕ  ｅｔ  ａｌ．の米国特許出願第１０／２８９，８６２号、２００２年９月３０日に出願されたＷｅｘｌｅｒ  ｅｔ  ａｌ．の米国出願第１０／２６０，６６５号及び１０／２６０，６６３号、並びに、２００１年１２月４日に出願されたＹａｕ  ｅｔ  ａｌ．の米国特許出願第１０／０１１，４２７号に記載されている記録素子を含む。
【００４１】
適切な記録素子の追加的な例は、融解可能として業界に既知の如何なる記録素子及び上記のような組込アプローチを利用する如何なる記録素子をも含む。他の適切な記録素子の例は、１９９４年１２月２０にＷａｌｃｈｌｉに発効した米国特許第５，３７４，４７５号、２００２年３月１９日にＡｓｈｉｄａ  ｅｔ  ａｌ．に発効した米国特許第６，３５７，８７１号、米国特許出願第２００２／０００８７４７Ａ１号、米国特許出願第２００２／００４８６５５号、欧州特許出願第１，０７８，７７５Ａ２号、及び、Ａｋｉｔａｎｉ  ｅｔｌ  ａｌ．名義の日本国特許公開公報第０１−１８２０８１号に記載されている記録素子を含む。
【００４２】
記録素子のサイズは、その使用意図に適した如何なるサイズでもあってよい。例えば、記録素子はラベル又はテープとして用いられ、０．２５ｃｍ（０．１インチ）未満の幅及び如何なる長さをも有し得る。代替的に、記録素子は信号としても用いられ、１８３ｃｍ（７２インチ）を越える幅を有し得る。記録素子は、医療画像産業において用いられる種類であり、３５．６ｃｍ×４３．２ｃｍ（１４インチ×１７インチ）の寸法を有し得る。或いは、記録素子は、様々なサイズの写真画像、例えば、８．８９ｃｍ×１２．７ｃｍ（３．５インチ×５インチフォーマット）、１０．１６ｃｍ×１５．２４ｃｍ（４×６インチフォーマット）、２０．３２ｃｍ×２５．４ｃｍ（８×１０インチフォーマット）等と典型的に関連する寸法を有し得る。
【００４３】
図２を参照すると、記録素子処理装置２０の例示的な実施態様が、インクジェット印刷システム２６に組み込まれて示されている。インクジェット印刷システム２６は、取り外し可能な記録素子供給トレイ３２と、記録素子変換システム（３４を用いて一般的に示されている）と、プリントヘッド３６とを含む。ハンドル３３を用いて印刷システム２６から供給トレイ３２を取り外し、供給トレイ３２に追加的な記録素子３８を充填し、且つ、供給トレイ３２を印刷システム２６内に再挿入することによって、供給トレイ３２を補充し得る。印刷システム２６は、補助的な記録素子送り供給３７も含み得る。代替的な実施態様において、印刷システム２６は、業界において既知の如何なる数の構成要素をも含み得る。
【００４４】
動作中、記録素子３２は、記録素子ピッキングホイール４０によって供給トレイ３２から移動させられ、記録素子付勢ホイール４４によって記録素子供給シュート４２を通じて移動させられる。供給シュート４２を出た後、画像及び／又はテキストが（印刷ステーション内に含まれる）プリントヘッド３６によって基板素子３８上に印刷される。１つ又はそれ以上の被駆動ピンチホイール４７を含む変換システム３４は、記録素子３８を印刷ステーション４６を通じて移動する。中間輸送ホイール４８が、輸送プラットフォーム５０上の印刷された記録素子を処理装置２０に向けて移動する。
【００４５】
処理装置２０は、記録素子３８からキャリアを除去する機器５２を含むキャリア除去ステーション２２を含む。図２に示される実施態様において、機器５２は、記録素子３８からキャリアを蒸発し或いは除去する熱を発生する１つ又はそれ以上のハロゲンランプを含む。キャリア除去ステーション２２内部の温度条件に依存して、キャリア除去ステーション２２は、記録素子３８が変換ステーション２４に向かって移動するときに、例えば、機器５２を用いて、記録素子３８を予加熱もし得る。これを行う結果、装置２０における生産性（一般的にスループットと呼ばれる）の増大が得られる。
【００４６】
記録素子３８は、輸送ニップ５５を形成する輸送ローラ５４及びローラ５６を通過することによって変換ステーション２４に進入する。ローラ５４及び５６は、ローラ５４及びローラ５６によって生成されて記録素子３８に加えられる圧力が、記録素子３８の耐久特性を著しく変更することなしに、記録素子３８をインバータシュート５８の周りで移動するのに十分であるような相対的位置とされている。インバータシュート５８は、変換ステーション２４の動作温度を維持するのを助ける遮蔽材としても機能する。
【００４７】
次に、記録素子３８は、変換ニップ６１を形成する圧力ローラ６０及びローラ５６を通過する。ローラ６０及びローラ５６は、記録素子３８がローラ６０及びローラ５６を通じて移動するときに、ローラ５６及びローラ６０によって生成されて記録素子３８に加えられる圧力が、記録素子３８の耐久特性を強化するのに十分であるような相対的位置とされている。記録素子３８は処理装置２０を出て、出口トレイ６３に休止するようになる。
【００４８】
所望の用途に依存して、ローラ５６（及び／又はローラ６０及び／又はローラ５４）は中空であってよく、変換ステーション２４の温度を上昇し且つ耐久特性の変化に助力する加熱素子６２（例えばハロゲンランプ等）を含み得る。典型的には、加熱素子６２は、ローラ６０及び／又はローラ５６内に位置する。しかしながら、記録素子がローラ６０に達する前に記録素子３８を予加熱するために、加熱素子をローラ５４内に含めてもよい。これを行うことによって、記録素子３８とローラ６０との間の温度勾配が減少し、それは画像欠陥の可能性を減少し、ローラ５４，５６，６０の動作速度を増大し得る。変換ステーション２４内部の温度を監視するために、（例えば、印刷システム２６のコントローラ３０又は装置２０のコントローラ２５内に位置する温度制御機器に接続された）温度センサ６４を変換ステーション２４内に含め得る。印刷システム２６及び／又は処理装置２０の構成要素を過剰な熱等から保護するのに必要な場所に、遮蔽材６６も配置し得る。所望であれば、ローラ５６及び遮蔽材６６によって形成されるキャビティ内に追加的な加熱素子を位置付け得る。
【００４９】
図２に示される印刷システム２６は、「Ｓ」字形状の記録素子３８移動経路を有し、その場合には、移動経路が開始から終了まで或いはその逆に辿られるときに、移動経路の部分は、移動経路の他の部分と（図２に示されるような）垂直方向又は水平方向のいずれかにオーバーラップする。印刷システム２６が「デスクトップ」型プリンタ又はデスクトップ上に容易に適合し得る中間フォーマット型プリンタであり得るよう、これは印刷システム２６のフットプリントを減少するのを容易にする。
【００５０】
図２に示される実施態様は「Ｓ」字形状の移動経路を有するが、他の移動経路構造がデスクトップ型印刷システム２６を容易にし得ることが認識される。例えば、図３には、装置２０の領域で湾曲しない移動経路を内蔵する装置２０の他の実施態様が示されている。
【００５１】
図３を参照すると、この実施態様において、記録素子３８は、図２を参照して上述されたように記録素子からキャリアを除去する機器５２、例えば、１つ又はそれ以上のハロゲンランプを含むキャリア除去ステーション２２を通じて移動する。この実施態様では、記録素子３８が機器５２を用いて変換ステーション２４に向かって移動するときに、キャリア除去ステーション２２は、記録素子３８をも加熱する。記録素子３８とローラ６０及び／又はローラ５６との間の温度勾配を減少することによって、これは記録媒体３８を変換ステーション２４への進入のために準備し、それは画像欠陥の可能性を減少し得るし、ローラ５６及び６０の動作速度を増大し得る。これは装置２０における生産性（スループット）を増大する。キャリア除去ステーション２２がこのように動作されるとき、変換ステーション２４の加熱部はしばしば不要である。しかしながら、変換ステーション２４の予加熱部を含めることは、所望の変換温度範囲に依存し得る。
【００５２】
記録素子３８は、変換ニップ６１を形成する圧力ローラ６０及びローラを通過することによって、変換ステーション２４に進入する。この場合にも、ローラ６０及びローラ５６は、記録素子３８がローラ６０及びローラ５６を通じて移動するときに、ローラ６０及びローラ５６によって生成され且つ記録素子３８に加えられる圧力が、記録素子３８の耐久特性を変更するのに十分であるような相対的位置とされる。記録素子３８は処理装置２０から出て、出口トレイ内に休止するようになる。
【００５３】
ローラ５６及び／又はローラ６０は中空であってもよく、変換ステーション２４の温度を上昇し且つ耐久特性の変化に助力する加熱素子（例えばハロゲンランプ等）を含み得る。変換ステーション２４内部の温度を監視するために、（例えば、印刷システム２６のコントローラ３０又は装置２０のコントローラ２５内に位置する温度制御機器に接続された）温度センサ６４を変換ステーション２４内に含め得る。
【００５４】
図４を参照すると、装置２０の他の実施態様が示されている。ここでは、装置２０は、図３に示される装置２０と類似している。しかしながら、装置２０を出る変換システム３４による記録素子移動経路は湾曲しており、開始から終了までの移動経路全体は、前に記載されたものと同様なオーバーラップ部を含む。
【００５５】
この実施態様において、記録素子３８は、図２を参照して上述されたように記録素子からキャリアを除去する機器５２、例えば、１つ又はそれ以上のハロゲンランプを含むキャリア除去ステーション２２を通じて移動する。この実施態様では、記録素子３８が例えば機器５２を用いて変換ステーション２４に向かって移動するときに、キャリア除去ステーション２２は、記録素子３８をも加熱する。記録素子３８とローラ６０及び／又はローラ５６との間の温度勾配を減少することによって、これは記録媒体３８を変換ステーション２４への進入のために準備し、それは画像欠陥の可能性を減少し得るし、ローラ５６及び６０の動作速度を増大し得る。これは装置２０における生産性（スループット）を増大する。キャリア除去ステーション２２がこのように動作されるとき、変換ステーション２４の加熱部はしばしば不要である。しかしながら、変換ステーション２４の予加熱部を含めることは、所望の変換温度範囲に依存し得る。
【００５６】
記録素子３８は、変換ニップ６１を形成する圧力ローラ６０及びローラを通過することによって、変換ステーション２４に進入する。この場合にも、ローラ６０及びローラ５６は、記録素子３８がローラ６０及びローラ５６を通じて移動するときに、ローラ６０及びローラ５６によって生成され且つ記録素子３８に加えられる圧力が、記録素子３８の耐久特性を変更するのに十分である相対的位置とされる。記録素子３８は処理装置２０から出て、出口トレイ内に休止するようになる。印刷システム２６及び／又は処理装置２０の構成要素を過剰な熱等から保護するのに必要な場所に、遮蔽材６６も配置し得る。
【００５７】
この場合にも、予期される用途に依存して、ローラ５６及び／又はローラ６０は中空であり、変換ステーション２４の温度を上昇し且つ耐久特性の変化に助力する加熱素子（例えばハロゲンランプ等）を含む。変換ステーション２４内部の温度を監視するために、（例えば印刷システム２６のコントローラ内に位置する温度制御機器に接続された）温度センサ、例えば、温度センサ６４を変換ステーション２４内に含め得る。
【００５８】
図５を参照すると、キャリア除去ステーション２２及び変換ステーション２４の相対的位置における変位が可能であることを例証するために、キャリア除去ステーション２２は、変換ステーション２４から離間して位置しており、用途及び動作環境に依存して実にあり得る。ここでは、キャリア除去ステーション２２は、機器６８、例えば、記録素子３８がキャリア除去ステーション２２を通じて移動するときにガス流（例えば、周囲温度にある空気、加熱空気等）を記録素子３８上に向ける強制空気対流素子を含む。このプロセスは、記録素子３８が変換ステーション２４に進入する前に、記録素子３８内に存在する少なくとも一部のキャリアを蒸発する。
【００５９】
この実施態様では、加熱空気を記録素子３８上に送風することによって記録素子３８を予加熱するために、機器６８を用い得る。典型的には、もし予加熱が望まれるならば、キャリア除去ステーション２２又はキャリア除去ステーション２２の少なくとも予加熱部は、変換ステーション２４により接近して位置するが、具体的な用途は、キャリア除去ステーション２２又はキャリア除去ステーション２２の予加熱部が、変換ステーション２４から離間して位置することを要求し得る。
【００６０】
図５に示される実施態様において、変換ステーション２４は、図２に関して記載された変換ステーション２４と同様である。しかしながら、予期される用途に依存して、変換ステーション２４は、図３及び／又は図４を参照して記載された種類であり得る。
【００６１】
図６を参照すると、装置２０の他の実施態様が示されている。ここでは、装置２０は印刷システム２６内に組み込まれていない。むしろ、装置（２０）は、一般的に「スタンドアローン」型機器と呼ばれるものである。典型的には、装置２０のこの構造は、「スタンドアローン」型印刷システム２６と共に用いられる。図６に示されるように、印刷システム２６を装置２０の図７に示される頂面７０上に配置し得る。代替的に、装置２０を印刷システム２６に近接して或いは離間して配置し得る。装置２０は、それがデスクトップ型機器と考えられるようなフットプリントであり得る。
【００６２】
図７を参照すると、装置２０の動作が記載されている。印刷された記録素子３８は、典型的には、（装置２０は画像側が下向きに面するよう構成され得るが）画像側が上向きに面する状態で、送り供給３７を用いて装置２０に供給され、キャリア除去ステーション２２に移動する。典型的には、記録素子はシステム使用者によって装置２０に供給される。しかしながら、従来的な媒体処理又は運搬システム、例えばコンベヤベルト機構を用いて、装置２０を印刷システム２６に接続し得ることも予期される。この構造では、印刷システム２６の送り供給３７及び出力トレイを除去し、媒体処理又は運搬システムによって置換し得る。
【００６３】
キャリア除去ステーション２２は、輸送ニップ５５を形成する輸送ローラ５４及びローラ５６を含む。ローラ５４及びローラ５６は、ローラ５４及びローラ５６によって生成されて記録素子３８に加えられる圧力が、記録素子３８の耐久特性を著しく変更することなしに、記録素子３８をキャリア除去ステーション２２を通じて移動するのに十分であるような相対的位置とされている。キャリア除去は、記録素子３８からキャリアを除去する１つ又はそれ以上の機器を含めることによって達成される。例えば、機器５２は、記録素子３８からキャリアを蒸発し或いは除去する熱を生成する１つ又はそれ以上のハロゲンランプを含み得る。キャリア除去ステーション２２内部の温度条件に依存して、キャリア除去ステーション２２は、記録素子３８が変換ステーション２４に向かって移動するときに、例えば、加熱素子６２を用いて記録素子３８を予加熱もし得る。これを行う結果、例えば装置２０における生産性（スループット）の増大が得られる。
【００６４】
記録素子３８は、変換ニップ６１を形成する圧力ローラ６０及び第二ローラ５６を含む変換ステーション２４に進入する。ローラ６０及び第二ローラ５６は、記録素子３８がローラ６０及び第二ローラ５６を通じて移動するときに、ローラ６０及び第二ローラ５６によって生成されて記録素子３８に加えられる圧力が、記録素子３８の耐久特性を強化するのに十分であるような相対的位置とされている。記録素子３８は処理装置２０を出て、出口トレイ６３に休止するようになる。
【００６５】
上記のように、ローラ６０及び／又はローラ５６（及び／又はローラ５４）は中空であってよく、変換ステーション２４の温度を上昇し且つ耐久特性の変化に助力する加熱素子６２（例えばハロゲンランプ等）を含み得る。典型的には、加熱素子６２は、ローラ６０及び／又はローラ５６内に位置する。しかしながら、記録素子がローラ６０に達する前にキャリアを除去することに加えて記録素子３８を予加熱するために、加熱素子をローラ５４内にも含め得る。これを行うことによって、記録素子３８とローラ６０との間の温度勾配が減少し、それは画像欠陥の可能性を減少し、ローラ５４，５６，６０の動作速度を増大し得る。変換ステーション２４内部の温度を監視するために、（例えば、装置２０のコントローラ２５内に位置する温度制御機器に接続された）温度センサ、例えば、図２に示される温度センサ６４を変換ステーション２４内に含め得る。図２に示されるように、印刷システム２６及び／又は処理装置２０の構成要素を過剰な熱等から保護するのに必要な場所に遮蔽材６６も配置し得る。
【００６６】
図８を参照すると、「スタンドアローン」型装置２０の他の実施態様が示されている。装置のこの構成を「スタンドアローン」型印刷システム２６と共に用い得る。図８に示されるように、印刷システム２６を装置２０の頂面７０上に配置し得る。代替的に、装置を印刷システム２６に近接して或いは離間して配置し得る。装置２０は、それがデスクトップ型機器と考えられるようなフットプリントであり得る。
【００６７】
図９を参照すると、装置２０の動作が記載されている。印刷された記録素子３８は送り供給３７を用いて装置２０に供給され、キャリア除去ステーション２２に移動する。典型的には、記録素子３８は、システム使用者によって装置２０に供給される。しかしながら、従来的な媒体処理又は運搬システム、例えば、コンベヤベルト機構を用いて、装置を印刷システム２６に接続し得ることも予期される。この構造では、印刷システム２６の送り供給３７及び出力トレイを取り除き、媒体処理又は運搬システムによって置換し得る。
【００６８】
キャリア除去ステーション２２は、輸送ニップ５５を形成する輸送ローラ５４及びローラ５６を含む。ローラ５４及び５６は、ローラ５４及びローラ５６によって生成されて記録素子３８に加えられる圧力が、記録素子３８の耐久特性を著しく変更することなしに、記録素子３８をキャリア除去ステーション２２を通じて移動するのに十分であるような相対的位置とされている。キャリア除去は、記録素子３８からキャリアを除去する１つ又はそれ以上の機器５２を含めることによって達成される。例えば、機器５２は、記録素子３８からキャリアを蒸発し或いは除去する熱を生成する１つ又はそれ以上のハロゲンランプを含み得る。キャリア除去ステーション２２内部の温度条件に依存して、記録素子３８が変換ステーション２４に向かって移動するときに、例えば、加熱素子６２を用いて、キャリア除去ステーション２２は記録素子を予加熱することもできる。これを行う結果、例えば、装置２０における生産性（スループット）の増大が得られる。
【００６９】
記録素子３８は、変換ニップ６１を形成する圧力ローラ６０及びローラ５６を含む変換ステーション２４に進入する。ローラ６０及びローラ５６は、記録素子３８がローラ６０及びローラ５６を通じて移動するときに、ローラ５６及びローラ６０によって生成されて記録素子３８に加えられる圧力が、記録素子３８の耐久特性を強化するのに十分であるような相対的位置とされている。記録素子３８は処理装置２０を出て、出口トレイ６３に休止するようになる。
【００７０】
予期される用途に依存して、ローラ６０及び／又はローラ５６（及び／又はローラ５４）は中空であってよく、変換ステーション２４の温度を上昇し且つ耐久特性の変化に助力する加熱素子６２（例えばハロゲンランプ等）を含み得る。典型的には、加熱素子６２は、ローラ６０及び／又はローラ５６内に位置する。しかしながら、記録素子がローラ６０に達する前にキャリアを除去することに加えて記録素子３８を予加熱するために、加熱素子をローラ５４内にも含め得る。これを行うことによって、記録素子３８とローラ６０との間の温度勾配が減少し、それは画像欠陥の可能性を減少し、ローラ５４，５６，６０の動作速度を増大し得る。変換ステーション２４内部の温度を監視するために、（例えば、装置２０のコントローラ２５内に位置する温度制御機器に接続された）温度センサ、例えば、図２に示される温度センサ６４を変換ステーション２４内に含め得る。図２に示されるように、印刷システム２６及び／又は処理装置２０の構成要素を過剰な熱等から保護するのに必要な場所に遮蔽材６６も配置し得る。
【００７１】
図２乃至５を参照して記載された実施態様と同様に、予期される具体的な用途に依存して、図６乃至９を参照して記載された装置２０の実施態様を印刷システム２６に組み込み得ることが認識される。同様に、図６乃至９を参照して記載された実施態様と同様に、予期される具体的な用途に依存して、図２乃至５を参照して記載された装置２０の実施態様を「スタンドアローン」型機器として提示し得る。代替的に、装置２０を形成するために、図６乃至９を参照して記載された実施態様の部分及び図１乃至５を参照して記載された実施態様の部分を組み合わせ得る。
【００７２】
キャリア除去ステーション２２は機器５２（例えばハロゲンランプ）及び／又は機器６８（例えば強制空気対流素子）を含むものとして記載されたが、キャリア除去ステーション２２は、記録素子内に存在するキャリアの所定量（又は百分率）を除去しうる如何なる手段をも含み得る。例えば、（典型的には）蒸発を通じてキャリア除去を達成し得る。よって、キャリア除去ステーション２２は、キャリアを蒸発するための如何なる手段をも含み得る。従って、機器５２及び／又は６８は、上記に議論されたように、ガス、典型的には空気を記録素子の表面上に向ける（一般的にブロアと呼ばれる）強制空気対流素子のような非接触素子を含み得る。機器５２及び／又は６８は、上記議論されたようなハロゲンランプ、白熱灯、及び／又は、赤外放射素子のような加熱素子も含み得る。代替的に、機器５２及び／又は６８は、素子が記録素子３８と接触するときに、キャリアを除去し得る接触伝導素子を含み得る。従って、機器５２及び／又は機器６８は、記録素子３８の一側面又は両側面と接触する加熱素子、例えば、加熱ローラ又はテーブルを含み得る。
【００７３】
除去されるキャリアの量（又は百分率）は、典型的には記録素子３８の特性及び具体的用途に依存する。一般的に言うと、除去されるキャリアの百分率は、変換ステーション２４によって記録素子３８の耐久特性が変更（例えば増大）された後に欠陥が生じることを防止するのに必要な最低量である。百分率は用途に依存して変化するが、典型的には、印刷された記録素子３８内に存在するキャリアの少なくとも約５０％〜少なくとも約９０％がキャリア除去ステーション２２によって除去される。好ましくはキャリアの少なくとも６０％が除去され、より好ましくはキャリアの７０％、さらにより好ましくはキャリアの少なくとも８０％、さらにより好ましくはキャリアの少なくとも９０％が除去される。コントローラ２５は、所望の除去百分率に依存して、動作設定を最適化するデータを含み得る。
【００７４】
キャリア量（又は百分率）は、記録素子がキャリア除去ゾーン内にあるときに除去される。キャリア除去ゾーンは、キャリア除去ステーション２２及び／又はキャリア除去ステーション２２と変換ステーション２４との間の距離を含み得る。ステーション２４及び２４の間の距離は、特に限定されない。よって、キャリア除去ステーション２２を変換ステーション２４に隣接して配置し得るし、キャリア除去ステーション２２を変換ステーション２４から離間して配置し得る。一般的には、キャリアの所定量（又は百分率）を除去し得るよう、キャリア除去ゾーンは用途に依存して最適化される。キャリア除去ゾーンの適切な長さは、記録素子３８の輸送速度、キャリア除去ステーション２２の温度、及び／又は、除去されるべきキャリアの量及び性質に依存することが多い。
【００７５】
上記に議論されたように、キャリア除去ステーション２２は、ローラ５４及び５６を含み得る。ローラ５４及び／又は５６は、中実又は中空であり得るし、均等又は非均等な寸法を有し得る。予期される用途に依存して、ローラ５４及び／又は５６の直径サイズも変化し得る。ローラ５４及び／又は５６の長さは特に限定されないが、普通、記録素子の幅を（例えば少なくとも１ｃｍだけ）越えて延びる。機器５２、例えば、ハロゲンランプ及び／又は赤外放射源のようなキャリア除去加熱素子が、１つ又はそれ以上のローラ５４及び／又は５６の軸方向に沿って位置し得る。機器５２は、１つ又はそれ以上のローラ５４及び／又は５６内に位置し得る。代替的に、ローラ５４及び／又は５６の表面から適当な距離に位置する外部加熱源である機器５２によって、１つ又はそれ以上のローラ５４及び／又は５６を加熱し得る。
【００７６】
記録素子３８の温度を上昇しキャリアを蒸発するよう高い熱伝導率を有する如何なる材料からもローラ５４及び／又は５６を作成し得る。ローラ５４及び／又は５６は、鋼、アルミニウム、陽極処理アルミニウム等のような金属であり得る。追加的に、ローラ５４及び／又は５６の表面は、ローラ５４及び／又は５６が記録素子３８の両面と接触するときの記録素子汚染を低減又は防止する塗膜を有し得る。塗膜は、ローラ５４及び／又は５６からの／ローラ５４及び／又は５６を通じた記録素子３８の解放を促進する種類でもあり得る。ローラ５４及び／又は５６が加熱されるときに、塗膜は記録素子３８に熱を効率的に伝導することもできなければならない。有用な塗膜は、ゴム、シリコン含有ゴム及び／又は重合体、フッ素含有重合体、オイル、並びに、それらの類似物を含む。
【００７７】
駆動ローラとして動作するとき、ローラ５４及び／又は５６は、モータ又は他の適当な電源（図示せず）によって駆動され、且つ、記録素子３８と係合するときに、記録素子３８の輸送が輸送ローラ４７からローラ５４及び／又は５６に中継されるようローラ５４及び／又は５６の動作を増速する内蔵オーバードライブ機構を有し得る。オーバードライブ機構は、被駆動軸受、滑りクラッチ等を含む一方向機構であり得る。記録素子３８の輸送速度は、ローラ５４及び／又は５６によって係合された後、典型的には僅かに増大する。輸送ローラ４７並びにローラ５４及び／又は５６の回転速度は、それらの直径に依存して相応して駆動される。記録素子３８の輸送速度は特に限定されず、典型的には０．６４〜１．２７ｃｍ／秒（０．２５〜０．５インチ／秒）の間である。例えば、インクジェット印刷の輸送速度は、輸送ローラ４７によって駆動されるときの０．８６ｃｍ／秒（０．３インチ／秒）からローラ５４及び／又は５６によって輸送されるときの約０．８９ｃｍ／秒（０．３５インチ／秒）に増大する。よって、記録素子３８の印刷は、記録素子３８がキャリア除去ステーション２２に進入する前に完了すべきである。
【００７８】
ローラ５４及び／又は５６の相対的位置は変化可能であり、予期される用途に依存して最適化されるべきである。最適化するときに考慮されるべき要因は、記録素子３８の輸送速度、装置２０の温度、記録素子３８の特性、蒸着されるインクの量及び種類、及び／又は、記録素子３８から除去されるべきキャリアの量を含む。上記のように、輸送ニップ５５の幅は、記録素子の輸送を促進するために十分な量の圧力が記録素子３８上に発生する程度に小さいが、記録素子３８がローラ５４及び／又は５６によって発生する圧力によって損傷を受けない程度に大きい。よって、輸送ニップ５５の典型的な幅は、普通、記録素子３８の厚さに依存する。一般的に、輸送ニップ５５内の記録素子３８上に発生する圧力の量は、約０．０７ｋｇ／ｃｍ２（１ｐｓｉ）〜約１．４ｋｇ／ｃｍ２（２０ｐｓｉ）、或いは、ローラ５６（５４）の０．１〜１０％ＯＤ及び圧力ローラ６０（５６）の１〜２５％ＯＤでなければならない。一般的に、輸送ニップ５５の幅は、約０．０２５ｃｍ（０．０１インチ）〜約０．１３ｃｍ（０．０５インチ）でなければならない。
【００７９】
上記のように、変換に必要とされるエネルギーの量及び時間を最小限化することによって変換を促進するために、記録素子３８は、ある所定上昇温度で変換ステーション２４に進入し得る。記録素子３８が所望の上昇温度で変換ステーション２４に進入し得るよう装置２０内の所望温度を維持するのを助けるために、熱遮蔽材６６をキャリア除去ステーション２２及び／又は変換ステーション２４の周りに位置付け得る。代替的に、記録素子３８が加熱ブロック上を移動するようキャリア除去ゾーン内に位置する加熱ブロックによって、記録素子３８の温度を維持し得る。代替的に、加熱素子を含む予加熱ステーションをキャリア除去ゾーン内に位置付け得る。キャリア除去ゾーンの長さが長いとき、或いは、記録素子が変換ステーション２４に進入するときの記録素子３８の温度が（記録素子がキャリア除去ステーション２２を出るときの記録素子の温度）よりも高くなければならないとき、予加熱ステーションを使用することは望ましくあり得る。
【００８０】
温度センサ機構６４は、如何なる従来的な当業者に周知の温度感知機構であってもよい。装置２０の温度範囲は特に限定されない。特定の組のシステム動作条件を条件として、それは記録素子３８からキャリアの所望量（又は百分率）を除去するのに十分であるが、記録素子３８が損傷を受けない程度に低いべきである。典型的な温度範囲は３０℃〜２００℃の間である。
【００８１】
キャリア除去ゾーンを通じて移動した後、記録素子３８は、キャリア除去ステーション２２の下流に位置する変換ステーション２４に進入する。変換ステーション２４は、記録素子３８の耐久特性を変更（例えば増大）するよう構成される。変換ステーション２４は、記録素子３８の耐久特性を変更するための如何なる手段をも含み得る。例えば、変換ステーション２４は、記録素子の耐久特性を変更するために圧力及び／又は熱を使用する機器又はシステムを含み得る。代替的に、或いは、追加的に、変換ステーション２４は、従来的なラミネート機器、従来的な融合機器等を含み得る。
【００８２】
変換ステーション２４は、ローラ５６及び／又は６０を含み得る。ローラ６０及び／又は５６は中実又は中空であり得るし、均等又は非均等な直径を有し得る。ローラ５４及び／又は５６の直径サイズも、予期される用途に依存して変化し得る。ローラ及び／又は５６の長さは特に限定されないが、普通、記録素子３８の幅を（例えば少なくとも１ｃｍだけ）超えて延びる。機器６２、例えば、ハロゲンランプ及び／又は赤外放射源のようなキャリア除去加熱素子を１つ又はそれ以上のローラ６０及び／又は５６の軸方向に沿って位置し得る。機器６２を１つ又はそれ以上のローラ６０及び／又は５６内に位置付け得る。代替的に、ローラ６０及び／又は５６から適当な距離に位置する外部加熱源である機器６２によって１つ又はそれ以上のローラ６０及び／又は５６を加熱し得る。
【００８３】
記録素子３８の温度を上昇し記録素子を変換するよう高い熱伝導率を有する如何なる材料からローラ６０及び／又は５６を形成し得る。ローラ６０及び／又は５６は、ステンレス鋼、アルミニウム、陽極処理アルミニウム等のような金属であり得る。追加的に、ローラ６０及び／又は５６の表面は、ローラ６０及び／又は５６が記録素子３８の両面と接触するときの記録素子の汚染を低減し或いは防止する塗膜を有し得る。塗膜は、ローラ６０及び／又は５６からの／ローラ６０及び／又は５６を通じた記録素子３８の解放を促進する種類であってもよい。塗膜は、ローラ６０及び／又は５６が加熱されるときに、記録素子３８に熱を効率的に伝導し得るべきでもある。有用な塗膜は、ゴム、シリコン含有ゴム及び／又は重合体、フッ素含有重合体、オイル、並びに、それらの類似物を含む。
【００８４】
駆動ローラとして動作するとき、ローラ６０及び／又は５６は、モータ又は他の適当な電源（図示せず）によって駆動され、且つ、記録素子３８と係合するときに、記録素子３８の輸送が輸送ローラ４７からローラ５４及び／又は５６に中継されるよう、ローラ６０及び／又は５６の動作を増速する内蔵オーバードライブ機構を有し得る。オーバードライブ機構は、被駆動軸受、滑りクラッチ等を含む一方向機構であり得る。記録素子３８の輸送速度は、ローラ６０及び／又は５６によって係合された後、典型的に僅かに増大する。輸送ローラ４７並びにローラ６０及び／又は５６の回転速度は、それらの直径に依存して相応して駆動される。記録素子３８の輸送速度は特に限定されず、典型的には０．６４〜１．２７ｃｍ／秒（０．２５〜０．５インチ／秒）の間である。例えば、インクジェット印刷の輸送速度は、輸送ローラ４７によって駆動されるときの０．８６ｃｍ／秒（０．３４インチ／秒）からローラ６０及び／又は５６によって駆動されるときの約０．８９ｃｍ／秒（０．３５インチ／秒）に増大する。よって、記録素子３８の印刷は、記録素子３８がキャリア除去ステーション２２に進入する前に完了するべきである。
【００８５】
変換ニップ６１の幅は変化し得るし、予期される用途に依存して最適化され得る。最適化するときにしばしば考慮される要因は、記録素子３８の輸送速度、装置２０の温度、記録素子の特性、蒸着されインクの量及び種類、及び／又は、記録素子３８から望まれる耐久性の変化を含む。例えば、もし記録素子３８が医療診断画像化における透明体として使用されるべきであるならば、圧力の量は、記録素子３８が完全に透明化される、即ち、曇りなしにするよう十分でなければならない。記録素子が変換ステーション２４によって変換される前に、記録素子３８が不透明であるならば、これは特に重要である。もし記録素子３８が写真印刷として用いられるべきであるならば、完全な透明化は余り重要ではないが、印刷物の画像品質及び光学密度が妥協されないよう十分でなければならない。
【００８６】
上記のように、変換ニップ６１の幅は、記録素子の変換を促進するために記録素子上に十分な量の圧力が生成されるよう十分に大きいが、記録素子３８が損傷を受けないよう十分に小さくなければならない。よって、普通、変換ニップ６１の典型的な幅は、記録素子３８の厚さに依存する。一般的に、変換ニップ６１内の記録素子３８上に生成される圧力の量は、約１．８ｋｇ／ｃｍ２（２５ｐｓｉ）から約１７．６ｋｇ／ｃｍ２（２５０ｐｓｉ）であるべきである。一般的に、変換ニップ６１の幅は、約０．１３ｃｍ（０．０５インチ）から約１．０ｃｍ（０．３９インチ）であるべきである。
【００８７】
ある用途において、ローラ５４，５６，６０の任意の１つ又は組み合わせを１つ又はそれ以上のベルトと置換し得る。ベルトは、印刷後処理産業において従来的に用いられる如何なる種類でもあり得る。追加的に、ローラ５４，５６，６０の他の１つによって接触されるときに、ローラ５４，５６，６０の１つが僅かに変形するよう、ローラ５４，５６，６０は可変の角度を有し得る。この種類のローラ構造は印刷後処理産業において既知である。
【００８８】
実験結果
インクジェット記録素子
実施例で用いられたインクジェット記録素子で使用された重合体粒子を以下の通り準備した。４０００グラムの脱塩水を加えることによって１２リットルのモートン(Morton)反応フラスコを準備した。窒素環境における１５０ＲＭＰ撹拌でフラスコ含有物を８０℃に加熱した。１９７４グラムの脱塩水及び２６．４グラムの２，２’−アゾビス（２−メチルプロピオンアミジン）二塩化水素化物で反応開始剤溶液付加フラスコを作成した。２４１９グラムのエチルメタクリル酸塩及び１２７グラムのメチルメタクリル酸塩を加えることによって単量体相付加フラスコを準備した。次に、各付加フラスコから反応フラスコへの装入を５グラム毎分で開始した。必要に応じて付加フラスコを再装入した。様々な時間にサンプルを採取し、７５３ｎｍの粒子サイズに達したときに単量体相送りを停止した。残留単量体を追跡するために、酸化還元反応開始剤溶液の装入を単量体相付加の終了を越えて３０分間延長した。反応フラスコ含有物を８０℃で１時間撹拌した後、２０℃に冷却し、２００μｍのポリ布を通じて濾過した。混合物を限外濾過によって５０重量パーセント固体に濃縮し、粒子を直径約８５０ナノメータに単分散した。
【００８９】
実施例において使用されたインクジェット記録素子を、０．１７５ｍｍの厚さを有する透明ポリ（エチレンテレフタル酸塩）支持体上に被覆された２つの層で構成した。支持体上に直接的に被覆されたベース層は、約８μｍの厚さを有し（乾式レイダウン８．１６ｇ／ｍ２）、Ｗｉｔｃｏ  Ｃｏｒｐ．からの５８重量パーセントのＷｉｔｃｏｂｏｎｄ（Ｒ）Ｗ−２１３ポリウレタン分散剤、２８重量パーセントのタイプ４ゼラチン、１２重量パーセントの（ビニルベンジル）トリメチルアンモニウム塩化物及びジビニルベンゼン（８７：１３のモル比）、１．２重量パーセントのビス（ビニルスルホニルメタン）、及び、０．８重量パーセントのＤｉｘｉｅ  Ｃｈｅｍｉｃａｌ  Ｃｏ．からのＯｌｉｎ（Ｒ）１０Ｇ界面活性剤で構成された。ベース層上に被覆された上層は、約４９μｍの厚さを有し（乾式レイダウン３５．７ｇ／ｍ２）、８４重量パーセントの前段落で記載された重合体粒子と、１４重量パーセントのＷｉｔｃｏ  Ｃｏｒｐ．からのＷｉｔｃｏｂｏｎｄ（Ｒ）Ｗ−３２０ポリウレタン分散剤、１．４重量パーセントのＧｅｎｅｓｅｅ  Ｐｏｌｙｍｅｒｓ  Ｃｏｒｐ．からのＧＰ−５０−Ａシリコン流体、及び、０．６重量パーセントのＥ．Ｅ．ｄｕ  Ｐｏｎｔ  ｄｅ  Ｎｅｍｏｕｒｓ  ａｎｄ  Ｃｏ．からのＺｏｎｙｌ（Ｒ）ＦＳＮフッ化界面活性剤で構成された。全ての重量パーセント値は、層の総重量に対する相対値である。変換が以下に記載されるように遂行された後、上層の厚さは３６μｍであった。
【００９０】
ブラック顔料インク
３２５グラムの５０μｍの平均直径を有するポリスチレンビーズ、３０グラムのＰｉｇｍｅｎｔ  Ｂｌｕｅ  １５：３（Ｓｕｎ  Ｃｈｅｍｉｃａｌ  Ｃｏｒｐ．）、１０．５グラムのカリウムオレオイルメチルタウレート（ＫＯＭＴ）、及び、２０９．５グラムの脱イオン水の混合物を準備した。Ｍｏｒｅｈｏｕｓｅ−Ｃｏｗｌｅｓ  Ｈｏｃｈｍｅｙｅｒによって製造された高エネルギー媒体粉砕機を用いて、これらの成分を室温で二重壁容器内で８時間に亘って粉砕した。高分子ビーズを除去するために、混合物を４〜８μｍのＢｕｃｈｎｅｒ漏斗を通じて濾過し、１０．０重量パーセントの最終濃度の顔料を有するシアン顔料分散剤をもたらすために、結果として得られた濾過水を希釈した。Ｋｅｅｄｓ＆Ｎｏｒｔｈｒｕｐによって製造されたＵｌｔｒａｆｉｎｅ  Ｐａｒｔｉｃｌｅ  Ａｎａｌｙｚｅｒを用いて測定したとき、顔料の中位粒子サイズは４５ｎｍであった。Ｐｒｏｘｅｌ（Ｒ）ＧＸＬ（Ａｖｅｃｉａ  Ｃｏｒｐ．）を２３０ｐｐｍ濃度をもたらすために必要な量で加えた。
【００９１】
Ｐｉｇｍｅｎｔ  Ｂｌｕｅ  １５：３の代わりにＰｉｇｍｅｎｔ  Ｒｅｄ  １２２（Ｓｕｎ  Ｃｈｅｍｉｃａｌ  Ｃｏｒｐ．）が用いられた点を除き、マジェンタ顔料分散剤をシアン顔料分散剤と同様に準備した。顔料の最終濃度は１１．６重量パーセントであり、平均粒子サイズは１２ｎｍであった。Ｐｉｇｍｅｎｔ  Ｂｌｕｅ  １５：３の代わりにＰｉｇｍｅｎｔ  Ｂｌａｃｋ  ７（Ｃａｂｏｔ  Ｃｏｒｐ．）が用いられた点を除き、ブラック顔料分散剤をシアン顔料分散剤と同様に準備した。顔料の最終濃度は１２．３重量パーセントであり、平均粒子サイズは６０ｎｍであった。
【００９２】
シアン顔料分散剤を０．８３重量パーセントで、マジェンタ顔料分散剤を１．１０重量パーセントで、ブラック顔料分散剤を２．６０重量パーセントで、ジエチレングリコールを１２．５重量パーセントで、グリセロールを２．７５重量パーセントで、トリプロピレングリコールメチルエーテル（Ｄｏｗ  Ｃｈｅｍｉｃａｌ  Ｃｏ．からのＤｏｗａｎｏｌ（Ｒ）ＴＰＭ）を２．５０重量パーセントで、Ｓｕｒｆｙｎｏｌ（Ｒ）４６５（Ａｉｒ  Ｐｒｏｄｕｃｔｓ  ａｎｄ  Ｃｈｅｍｉｃａｌ  Ｉｎｃ．）を０．２５重量パーセントで、ＴｒｕＤｏｔＴＭＩＪ−４６５５、ＭｅａｄＷｅｓｔｖａｃｏ  Ｃｏｒｐ．から入手可能なスチレン−アクリル共重合体を０．１７重量パーセントで混合し、さらに、１００重量パーセントをもたらすよう水を混合することによって、水性ブラック顔料インクを準備した。顔料ブラックインク内に存在するキャリア（水）の総量は、８１．３重量パーセントであった。全重量パーセント値は、インクの総重量に対する相対値である。
【００９３】
印刷
Ｃａｎｏｎ，Ｕ．Ｓ．Ａ．，  Ｉｎｃ．から入手可能な画像ＰＲＯＧＲＡＦ  Ｗ２２００  Ｇｒａｐｈｉｃ  Ｃｏｌｏｒ  Ｐｒｉｎｔｅｒを用いて、ブラック顔料インクを印刷した。カタログ番号ＢＣＩ−１３０２ＢＫ及びＢＣＩ−１３０２ＰＭを有する２つの透明な空カートリッジにインクを充填し、プリンタのブラック及びライトマジェンタ位置にそれぞれ配置した。Ａｄｏｂｅ（Ｒ）ＰｈｔｏＳｈｏｐ（Ｒ）ｖ７．０ソフトウェア（Ａｄｏｂｅ  Ｓｙｓｔｅｍｓ）を６チャネルモードで用いて、７．６２×１０．１６ｃｍの単一記録密度パッチから成る試験画像を生成した。ブラック顔料インクが両方のカートリッジからＰｈｏｔｏＰａｐｅｒ  Ｐｒｉｎｔ  Ｍｏｄｅで印刷されるよう、ＰｈｔｏＳｈｏｐ（Ｒ）ソフトウェアを通じて使用可能なソフトウェアでプリンタドライバを上書きした。１．７７ｍｇ／ｃｍ２のキャリア（水）レイダウンをもたらすために、インクレイダウンは約２．１８ｍｇ／ｃｍ２であった。試験画像当たりインクの総量が１６９．００ｍｇであり、試験画像当たりに印刷されたキャリア（水）の総量が１３７．０３ｍｇであるよう、試験パッチの領域は７７．４１９２ｃｍ２であった。
【００９４】
上記のようなブラック顔料インクを用いて、それぞれ約１３×１５ｃｍのインクジェット記録素子の５つのサンプルを印刷した。各サンプルの重量を印刷前及び印刷直後に記録した。結果を表１に示す。
【００９５】
印刷後処理―キャリア除去ステップ
赤外ランプ及び強制空気から成るキャリア除去ステーションをサンプルに用いた。赤外ランプのために、Ｈｅｒａｅｕｓ  Ｎｏｂｌｅｌｉｇｈｔ，  Ｉｎｃ．から入手可能なＫＬ１００  Ｉｎｆｒａｒｅｄ  Ｅｍｉｔｔｅｒ  Ｍｏｄｕｌｅを用いた。このモジュールは、２２００ワットの総バンク出力で動作するゴールド反射器を具備し且つ高温ステンレス鋼ハウジング内に収容された波双子管炭素エミッタで構成された。モジュールの加熱長は３０ｃｍであった。標準的な可変自動変圧器を用いてモジュールに供給される電圧量を調節することによって、赤外ランプのエミッタ温度を変更した。Ｅｘａｉｒ  Ｃｏｒｐ．から入手可能なＥｘａｉｒ（Ｒ）Ｓｔａｎｄａｒｄ  Ａｉｒ  Ｋｎｉｆｅ（間隙設定０．０５ｍｍ、長さ３０ｃｍ）を用いて周囲強制空気を供給した。エアナイフに供給される空気のラインプレッシャは、４．９ｋｇ／ｃｍ２（７０ｐｓｉ）であった。
【００９６】
上記の５つの印刷サンプルのそれぞれからキャリアを以下のように除去した。印刷直後に、印刷サンプルを約３０×３０ｃｍの一方向プラテン上に載せ、画像化されたインクジェット記録素子の外縁と接触する（単一記録密度パッチとは接触しない）アルミニウム金属フレームによって平滑に保持した。プラテンは、その約７．６ｃｍ上に位置する赤外ランプの下方で、印刷サンプルを２．５ｃｍ／秒の速度で輸送した。赤外ランプを通過後、印刷サンプルは、赤外ランプから約１１．４ｃｍ及びプラテン上約７．０ｃｍに位置するエアナイフの下方を通過した。エアナイフからの空気が画像化された記録素子の全面に亘って吹き付けられるよう、それをプラテンの平面に対して約２０°の角度でプラテンに向けた。各印刷散布のために、除去されるキャリアの量が比例して変化するよう、赤外ランプに供給された電圧を変更した。エアナイフが各サンプルを完全に通過した直後に、各サンプルを計量した。除去されたキャリアの量を測定した。結果を表１に示す。
【００９７】
印刷後処理−変換ステップ
本実施例では、ベルト融合システムから成る変換ステーションを用いた。そのようなシステムは電子写真コピーの当業者に既知であり、例えば、米国特許第５，２５８，２５６号、第５，７８３，３４８号に開示されている。一組のステンレス鋼ローラの周りに巻かれたベルトでベルト融合システムを構成した。ベルトは約３３ｃｍの幅であり、ＮｅｘＰｒｅｓｓ  Ｓｏｌｕｔｉｏｎｓ  Ｌ．Ｌ．Ｃ．によって提供された商標付きのシリコン含有重合体で被覆されたＫａｐｔｏｎ（Ｒ）ポリイミドフィルム（Ｅ．Ｉ  ｄｕ  Ｐｏｎｔ  ｄｅ  Ｎｅｍｏｕｒｓ  ａｎｄ  Ｃｏ．）で構成された。ステンレス鋼ローラの１つは直径６．９ｃｍであり、融合ローラとして作用した。他のステンレス鋼ローラは直径２．５ｃｍであった。双方のローラは３６ｃｍの幅であり、２つのローラの間の距離は２３．０ｃｍ（中心から中心）であった。
【００９８】
圧力ローラとして作用する直径７．６ｃｍ及び幅３６ｃｍ第三ローラの隣に融合ローラを配置した。圧力ローラは、約０．４５ｃｍの厚さ及び約８５ショアーＡ単位のデュロメーター硬度を有するシリコンゴムで被覆されたステンレス鋼ローラであった。ニップ幅が０．６４ｃｍ（０．２５インチ）であり且つニップ圧力が４．６ｋｇ／ｃｍ２（６５ｐｓｉ）であるように融合及び圧力ローラを位置付けた。融合ローラ及び圧力ローラの双方は中空であり、その内部に収容されたランプを用いて軸方向に沿ってそれらを加熱した。ローラの表面の一定温度を維持するために温度センサを用いた。それらは融合ローラに関しては１４９℃であり、圧力ローラに関しては９９℃であった。媒体の画像側がベルトに面する状態で印刷サンプルを変換ステーションに供給した。
【００９９】
キャリア除去ステップ後に各サンプルを計量した後、それぞれを約０．８９の輸送速度でベルト融合システムを通過させ、引き続き、アーチファクトのために蒸発させた。結果を表１に示す。ふくれは望ましくなく、媒体層の少なくとも１つが、膨れ或いは膨張し次に破裂する気泡を形成する粗スポットとして現れる。ふくれは、変換ステップ期間中の加熱の結果として、媒体の最上融合可能層を通じる或いは媒体の最上融合可能層から出る水の拡散、即ち、水の蒸発によって引き起こされると考えられる。
表１：
【０１００】
【表１】
2007513810.tif 000003
【０１０１】
上記の結果は、除去されるキャリアの量が赤外ランプに供給される電圧と正比例することを示している。電圧が低ければ低いほど、赤外ランプのエミッタ温度は低く、印刷サンプル内の水を加熱するために余り効率的でなくなる。その結果、より少ない水がキャリア除去ステップにおいて除去される。上記の結果は、除去されるキャリアの量が、変換ステップ期間中のふくれに対して直接的な影響を有することも示している。もしキャリア除去ステップ後に多くのキャリアがサンプル中に残り過ぎるならば、ふくれが観察される。この実施例では、ふくれを防止するために、キャリアの少なくとも約８５重量パーセントが除去される必要がある。一般的に、除去される必要のあるキャリアの最低量は、インク及び記録素子の具体的な組成、並びに、キャリア除去及び変換ステップにおいて用いられる条件に依存して変化する。
【０１０２】
本発明はその特定の例示的実施態様を具体的に参照して記載されたが、本発明の範囲内で変形及び修正を行い得ることが理解されよう。
【図面の簡単な説明】
【０１０３】
【図１】本発明に従った作成された装置を示すブロック図である。
【図２】本発明の例示的な実施態様を概略的に示す斜視図である。
【図３】本発明の他の例示的な実施態様を概略的に示す斜視図である。
【図４】本発明の他の例示的な実施態様を概略的に示す斜視図である。
【図５】本発明の他の例示的な実施態様を概略的に示す斜視図である。
【図６】プリンタを具備する本発明の例示的な実施態様を概略的に示す斜視図である。
【図７】プリンタを具備しない図６に示される例示的な実施態様を概略的に示す斜視図である。
【図８】プリンタを具備する本発明の他の例示的な実施態様を概略的に示す斜視図である。
【図９】プリンタを具備しない図８に示される例示的な実施態様を概略的に示す斜視図である。
【図１】
2007513810.tif 000004
【図２】
2007513810.tif 000005
【図３】
2007513810.tif 000006
【図４】
2007513810.tif 000007
【図５】
2007513810.tif 000008
【図６】
2007513810.tif 000009
【図７】
2007513810.tif 000010
【図８】
2007513810.tif 000011
【図９】
2007513810.tif 000012
【国際調査報告】
2007513810.tif 000013
2007513810.tif 000014